(57)【要約】  本発明は、ＲＦ増幅器に結合されたアンテナに関する。環境条件はアンテナのインピーダンスを変化させるが、それにより出力電力、効率、および線形性が低下する。アンテナのインピーダンスを検出するように設計された回路が提供される。測定されたインピーダンスを用いて、インピーダンス整合が達成される。インピーダンス検出回路は、ＲＦ増幅器からアンテナに流れる信号を検出し、その信号のピーク電圧とピーク電流を測定する。さらに、電圧と電流の間の位相差が測定される。この回路の利点は、チップ上への集積を容易にするそのコンパクト性である。さらに、インピーダンスの検出に上記回路を使用したインピーダンス整合回路も提案される。
2008516508.tif 000002
【特許請求の範囲】
【請求項１】
負荷のインピーダンスの大きさと位相を検出する回路であって、前記負荷が給電ラインによって無線周波（ＲＦ）増幅器に接続可能であり、前記回路が
ａ）前記ＲＦ増幅器の出力電圧のピーク値を検出する第１の手段と、
ｂ）前記ＲＦ増幅器の出力電流のピーク値を検出する第２の手段と、
ｃ）
ｃ１）出力電圧と出力電流の間の位相に応じてその値が決まる信号を測定するか、または
ｃ２）リニア乗算によって出力電圧と出力電流の間の位相を導出する
第３の手段と
を備え、
ｄ）前記第１の手段または前記第２の手段、あるいはその両方が
ｄ１）混合器と振幅制限器、または
ｄ２）ピーク・ダイオード検出器
を備える、回路。
【請求項２】
前記第３の手段が位相シフタと混合器を備える、請求項１に記載の回路。
【請求項３】
前記給電ラインがインダクタンスまたはキャパシタンスの何れかを有し、前記第３の手段が２つの振幅制限器と１つの混合器を備える、請求項１に記載の回路。
【請求項４】
前記第１の手段と前記第２の手段が緩衝増幅器を備える、請求項１に記載の回路。
【請求項５】
前記ＲＦ増幅器が少なくとも２つのトランジスタからなるアレイを備え、前記第１の手段が前記トランジスタのうちの１つのコレクタ電圧を検出するように構成され、前記第２の手段が対応するコレクタ電流を検出するように構成される、請求項１に記載の回路。
【請求項６】
前記コレクタの負荷ラインが検出抵抗器を備える、請求項１に記載の回路。
【請求項７】
前記ＲＦ増幅器が少なくとも２つのトランジスタからなるアレイを備え、前記第１の手段が前記トランジスタのうちの１つのコレクタ電圧を検出するように構成され、前記第２の手段が対応するエミッタ電流を検出するように構成される、請求項１に記載の回路。
【請求項８】
前記第１の手段が、前記ＲＦ増幅器の一部であるトランジスタのコレクタ電流を検出するように構成されたピックアップ・コイルを含む、請求項１に記載の回路。
【請求項９】
負荷のインピーダンスをＲＦ増幅器のインピーダンスに整合させるインピーダンス整合回路であって、前記負荷が給電ラインによって無線周波（ＲＦ）増幅器に接続可能であり、前記インピーダンス整合回路が、
−  前記ＲＦ増幅器と前記負荷の間に接続される適応出力回路網と、
−  前記給電ラインのノードに結合されるインピーダンス検出器と、
−  測定されたインピーダンスに応じて前記適応整合回路を調整する制御ユニットと
を備え、
前記検出器が請求項１から８のうちの１つによる回路である、インピーダンス整合回路。
【請求項１０】
前記ノードが前記ＲＦ増幅器と前記適応出力回路網の間に配置される、請求項９に記載のインピーダンス整合回路。
【請求項１１】
前記ノードが前記適応出力回路網と前記負荷の間に配置される、請求項１０に記載のインピーダンス整合回路。
【発明の詳細な説明】
【技術分野】
【０００１】
本発明は一般に半導体回路に関し、より詳細には無線周波数（ＲＦ）回路に関する。
【背景技術】
【０００２】
ＲＦ電力増幅器の性能は、ＲＦ電力増幅器の出力に結合された負荷のインピーダンスによって決まる。ＲＦ電力増幅器は一般に、負荷インピーダンスが所定の値、例えば５０Ωなどを有するときに最適な性能を持つように設計される。便宜上、ＲＦ電力増幅器はＲＦ増幅器と略記する。ＲＦ増幅器がアンテナ、例えば携帯電話などの携帯通信装置で使用されるアンテナに給電する場合には、環境条件によってアンテナ（負荷）のインピーダンスが変化することがある。ユーザの移動する手や頭、ならびに他の近くの物体は、アンテナ・インピーダンスに大きな外乱をもたらす。しかし、アンテナ・インピーダンスが所定の値からずれたときは、電力増幅器の出力電力、効率、線形性などの性能が低下する。
【０００３】
上述の問題に対処するために、電力増幅器とアンテナの間にサーキュレータを配置することは良く知られている。サーキュレータは、電力増幅器の出力に結合される第１の端子と、アンテナに結合される第２の端子と、固定インピーダンス、例えば５０Ωを有する素子によって接地に結合される第３の端子とを備える。電力増幅器の出力信号はアイソレータの第１および第２の端子を通ってアンテナに送信される。インピーダンスの不整合によってアンテナから反射された信号は、アイソレータの第３の端子と固定インピーダンス素子を介して接地に送られる。したがって、アンテナのインピーダンス不整合は電力増幅器の性能には影響を与えない。しかし、アイソレータは大きく、高価で、電力効率が悪い。アイソレータは、低価格で低電力の携帯通信システムには適さない。
【０００４】
アイ・ヨコシマ［I. Yokoshima］による論文、「電圧−電流検出によるＲＦインピーダンス測定［RF Impedance Measurements by Voltage-Current Detection］」、計器と測定に関するＩＥＥＥ紀要［IEEE Transactions on Instrumentation and measurement］、Ｖｏｌ．４２、Ｎ０．２、１９９３年４月、はテスト中の装置の電圧と電流を検出することによるＶＨＦ−ＵＨＦインピーダンス測定技術を開示している。この装置の両端の電圧は抵抗分割器によって測定され、電流はピックアップ・コイルによって測定される。
【０００５】
米国特許第４４９３１１３号は、その図１に、ＲＦ増幅器に結合されたアンテナのインピーダンスＺと位相Θの両方を回路によって検出する１つの従来技術を示している。インピーダンスＺの大きさを求めるために、電圧センサと電流センサが使用される。
【発明の開示】
【発明が解決しようとする課題】
【０００６】
本発明の目的は、ＲＦ増幅器に接続されているかまたは接続可能な負荷のインピーダンスの大きさおよび位相を検出する回路と、インピーダンス整合回路とを提供することであり、そのどちらもが高い精度を示し、設計がシンプルで、高いレベルの集積を実現する。
【課題を解決するための手段】
【０００７】
本発明の目的は、独立請求項の特徴によって解決される。本発明の他の実施形態は従属請求項の特徴によって記載される。特許請求の範囲におけるいずれの参照符号も、本発明の範囲を限定するものと見なすべきではないことを強調しておく必要がある。
【０００８】
本発明によれば、上述の問題は、ＲＦ増幅器に接続可能であるかまたは接続されている負荷のインピーダンスの大きさと位相を検出する回路によって解決される。この回路は、ＲＦ増幅器の出力電圧のピーク値を検出する第１の手段と、ＲＦ増幅器の出力電流のピーク値を検出する第２の手段とを備える。第１の代替実施形態では、第１の手段および／または第２の手段は混合器と振幅制限器を備える。第２の代替実施形態では、第１の手段および／または第２の手段はピーク・ダイオード検出器を備える。さらに、この回路は、出力電圧と出力電流の間の位相によってその値が決まる信号を検出または測定する第３の手段を備えるか、あるいは、リニア乗算によって出力電圧と出力電流の間の位相を導出する第３の手段を備える。
【０００９】
さらに、問題は、適応出力回路網を備えた給電ラインによって負荷に結合される無線周波増幅器を備えたインピーダンス整合回路によって解決される。さらに、前のパラグラフで述べたようなアンテナ不整合検出器であるインピーダンス検出器は、測定されたインピーダンスに応じて適応出力回路網を調整する制御ユニットを備える。
【００１０】
どちらの回路も無線周波数範囲、したがって約１０ｋＨｚから約１０ＧＨｚの間の周波数範囲で動作するように設計される。
【００１１】
インピーダンスの大きさと位相を検出する回路に関する限りは、解決策のアイデアはＲＦ増幅器からアンテナへのエネルギー・フローを使用してインピーダンスとその位相を求めることである。このエネルギーは、ＲＦ増幅器をアンテナに接続する給電ラインの中を流れている。エネルギー・フローはＲＦ増幅器内から発生するので、上述の信号に関する電圧はＲＦ増幅器の出力電圧と呼ばれる。それに対応して、アンテナに流れる電流は、上述の信号に関する電流なので、ＲＦ増幅器の出力電流と呼ばれる。これら２つの量が測定され、さらにそれらの位相差も測定される。
【００１２】
Ｖが検出された出力電圧であり、Ｉが検出された出力電流である場合、インピーダンスＺは次式で定義される。
【数１】
2008516508.tif 000003
上式でφはインピーダンスの位相である。φは出力電圧と出力電流の間の位相差である。位相差φは−９０°と＋９０°の間の任意の値を取ることができる。
【００１３】
Ｚの完全な情報のためには、大きさ｜Ｚ｜と位相φの両方が必要である。Ｚの大きさは、｜Ｖ｜と｜Ｉ｜の比で与えられ、そのどちらもがピーク検出により測定できる。位相差φは位相検出器により検出できる。より正確には、上述の手法は、絶対値｜Ｖ｜と｜Ｉ｜を生成し、また電圧と電流の間の位相差φを表す信号、例えば、ｓｉｎ（φ）を生成する。
【００１４】
上述の一般的な解は図１のブロック図によって示され、この図では、ＲＦ増幅器２の形の無線周波数信号の発生源は給電ライン１によってアンテナ３に接続されている。ピーク検出手段２９は上述のエネルギー・フローに関する電圧｜Ｖ｜を測定する機能を果たし、第２のピーク検出手段２９’は｜Ｉ｜を測定する機能を果たす。位相検出手段３０は、位相情報を測定する。得られた信号はリニアに乗算される。言い換えれば、ピーク検出は、得られた信号とその信号自体のハード制限相当信号とのリニア乗算によって実施される。
【００１５】
ＲＦ増幅器の出力電圧のピーク値を検出する第１の手段が使用される。このピーク検出器は、第１の手段を給電ラインに接続するノードのノード電圧を検出することによって、出力信号を直接検出する。第１の手段は、振幅制限器と混合器を備えることができる。振幅制限器の入力はノード電圧になるように選択される。混合器の入力信号は、ノード電圧と振幅制限器の出力信号である。この代替実施形態では、第１の手段はピーク・ダイオード検出器を備える。
【００１６】
ＲＦ増幅器の出力電流のピーク値を検出する第２の手段が使用される。｜Ｉ｜のこのピーク検出器の１つの可能な実施形態は給電ラインに配置された検出抵抗器を含む。この場合、検出抵抗器は、ＲＦ増幅器からアンテナにエネルギーが流れたときの、この抵抗器での電圧降下を検出する。電位降下はＲＦ増幅器からアンテナに流れる電流に比例するので、この分岐電流を振幅制限器と混合器に供給して電位降下を測定することができる。それを実施するためには、その抵抗器での電位降下を演算増幅器に入力し、演算増幅器の出力信号を振幅制限器と混合器に供給することが望ましい。混合器の入力信号は、振幅制限器の出力信号と前述の演算増幅器からの信号とになるように選択される。この代替実施形態では、第２の手段はピーク・ダイオード検出器を備える。
【００１７】
さらに、ＲＦ増幅器の出力電圧とＲＦ増幅器の出力電流の間の位相差を検出／測定する第３の手段が使用される。この位相検出器は、位相シフタ、好ましくは＋／−９０°位相シフタと混合器を備えることができる。位相シフタの入力は、給電ラインの一部であるノードに接続される。増幅器、ノード、および第３の手段は直列に接続することができる。混合器の第１の入力は振幅制限器の出力になるように選択され、第２の入力は第１の手段の一部を形成する振幅制限器の出力である。
【００１８】
代替実施形態では、第３の手段はリニア乗算によって出力電圧と出力電流の間の位相を導出するように構成することができる。この場合、検出器の出力は、電圧の大きさに比例、電流の大きさに比例、およびｓｉｎ（φ）に比例するように選択することができる。位相は、後処理によって信号から抽出することができる。
【００１９】
給電ラインにおいて検出抵抗器を選択する代わりに、コイルまたはコンデンサを使用することもできる。これらの部品を使用することで、第３の手段に９０°位相シフタを備える必要がなくなり、したがってこの解決策に必要な部品が１つ減るという利点が生じる。ＧＳＭとＵＭＴＳ周波数帯域の両方で動作する携帯電話などの多帯域用途の場合は、９０°位相シフタは広帯域位相シフタとなる。代替実施形態では、高Ｑコイル（またはコンデンサ）が、それを流れる電流とその両端の電圧の間の、非常に広い周波数範囲にわたる９０°位相シフトを提供する。
【００２０】
上述のように、出力電圧と出力電流の測定されたピーク値によりインピーダンスの計算が可能になる。この目的のため、回路は出力電圧を出力電流で除算する手段を備えることができる。除算手段は、アナログまたはデジタルの領域で、当業者に良く知られた方法で実施することができる。その方法は、ＡＳＩＣ、ＥＰＲＯＭ、ＣＰＵなどでもよい。しかし、インピーダンス検出回路に除算手段を含めずに、本発明によるインピーダンス整合回路の一部を形成する制御ユニットによって除算手段を提供することも可能である。
【００２１】
本発明によるインピーダンス整合回路を用いると、ユーザは、検出器がアンテナ・インピーダンスを検出するのか（この場合は、調整可能な出力整合回路網と負荷の間にノードが配置される）、あるいは調整可能な出力整合回路網の入力インピーダンスを検出するのか（この場合は、ＲＦ増幅器と調整可能な出力整合回路網の間にノードが配置される）を決定することができるようになる。
【００２２】
他の実施形態においては、ＲＦ増幅器は少なくとも２つのトランジスタからなるアレイを備える。１つのトランジスタが、ＲＦ増幅器の出力端子に接続される。この場合、第１の手段は、ＲＦ増幅器の出力端子に結合されたこのトランジスタのコレクタ電圧を検出するように構成することができ、第２の手段は、対応するコレクタ電流を検出するように構成することができる。すぐ前に述べた実施形態の代替実施形態では、トランジスタ電流とトランジスタ電圧を検出するのではなく、代わりにエミッタ電流とコレクタ電圧を検出するように決定することもできる。
【００２３】
インピーダンス検出器とインピーダンス整合回路の利点はどちらも、そのサイズが非常に小さいのでチップ上への集積がより容易になることである。
【００２４】
本発明のこれらおよびその他の態様は、後で述べる諸実施形態を参照することで明らかになり、解明されるはずである。
【発明を実施するための最良の形態】
【００２５】
図２は、インピーダンス検出器とも呼ばれる、負荷のインピーダンスを検出する回路を示している。インピーダンス検出器は、給電ライン１によってアンテナ３（負荷）に接続されるＲＦ増幅器２を備える。
【００２６】
ＲＦ増幅器２の出力電圧のピーク値を検出する第１の手段は、ノード２１によって給電ライン１に接続される。第１の手段は、混合器４と振幅制限器５を備える。振幅制限器５の入力信号はノード２２のノード電圧である。混合器４の１つの入力端子はノード２１によって給電ライン１に接続され、第２の入力端子は振幅制限器５の出力端子に接続される。出力端子２６は出力信号｜Ｖ｜を生成する。
【００２７】
ＲＦ増幅器と第１の手段の間を電気的に分離するために緩衝増幅器１１を使用することが望ましい。さらに、混合器４には、不要なＲＦ成分のための低域通過フィルタとして機能する接地コンデンサ１９を接続することもできる。
【００２８】
第１の実施形態の給電ライン１は、検出抵抗器１５を備える。抵抗器１５の電位降下は演算増幅器１８に供給され、演算増幅器の出力信号は給電ライン１を流れる電流、したがってＲＦ増幅器２の出力電流に比例する。この電流のピーク値は、振幅制限器５’と混合器４’を備えた第２の手段によって検出される。これらの部品は、第１の手段の一部を形成しているそれらの対応部分と同様に接続される。したがって、混合器４’は、信号｜Ｉ｜を出力端子２６’に出力する。
【００２９】
第２の手段は、緩衝増幅器１１’によって給電ライン１から分離することができる。第１の手段の場合と同様に、混合器４’に接続された追加のコンデンサ１９’は、不要なＲＦ成分をフィルタリングするための低域通過フィルタとして機能することができる。
【００３０】
位相を検出する第３の手段は、直列に接続された−９０°位相シフタ６と混合器４”を備える。位相シフタ６はノード２３に接続され、したがって出力電流を測定するブランチに接続される。混合器４”の１つの入力信号は位相シフタ６の出力信号であり、第２の入力端子はノード２２を通して出力電圧を測定するブランチに接続される。端子２６”における出力は、端子２６の電圧と端子２６’の電流の間の位相差を検出する。
【００３１】
必要な場合は、全体の回路をＲＦ増幅器から遠く離して配置することができる。それにより、ＲＦ増幅器２と負荷３の間に固定出力整合回路網２４を配置することが可能になる。
【００３２】
図３はインピーダンス検出器の第２の実施形態を示している。ここで、同一参照番号は、全体の記述を通して同一の部品を示す。図２と比較すると、検出抵抗器１５が検出コイル９で置き換えられている。代替実施形態では、検出コンデンサ１０で検出抵抗器１５を置き換えることができる。後者の場合は、置き換えによって図２の位相シフタ６は不要になる。コイル９またはコンデンサ１０は、例えば固定出力回路網、適応出力回路網、またはその両者の組合せであるインピーダンス整合回路網の一部となるように選択することができる。
【００３３】
この実施形態では、第１の手段と第２の手段は振幅制限器と混合器を備えておらず、その代わりに、ピーク・ダイオード検出器８と８’を備える。ノード２３で検出された出力電流とノード２２で検出された出力電圧の間の位相差を求めるために混合器４”が使用される。混合器４”の１つの入力端子は振幅制限器５の出力に接続され、振幅制限器５はさらにノード２２に接続される。混合器４”の第２の入力端子は第２の振幅制限器５’の出力に接続され、振幅制限器５’はさらにノード２３に接続される。全体として、第２の実施形態は第１の実施形態と比べて若干少ない部品を使用することになり、結果としてサイズがより小さくなり、チップ上への集積がより容易になる。
【００３４】
以下で論ずる第４と第５の実施形態は、状況を考慮するものであり、その場合ＲＦ増幅器は少なくとも２つのトランジスタからなるアレイを備える。これらのトランジスタのうちの１つは、ＲＦ増幅器の出力端子に直接接続される。このような状況では、そのトランジスタのコレクタ電流とコレクタ電圧か、またはそのトランジスタのエミッタ電流とコレクタ電圧のどちらかを測定することができる。これら２つの解決策により、検出回路をＲＦ増幅器に非常に近接して配置することが可能になり、そのことにより検出回路を備えたＲＦ増幅器の非常に小型化された設計がもたらされる。
【００３５】
図４に示された第４の実施形態では、ＲＦ増幅器２は、少なくとも２つのトランジスタからなる上述のアレイ１２を備える。１つのトランジスタ１３は、ＲＦ増幅器の出力に直接結合される。このトランジスタ１３はコレクタを有し、そのコレクタ電流とコレクタ電圧がインピーダンス検出器によって測定される。
【００３６】
トランジスタ１３のコレクタは検出抵抗器１５に接続され、その抵抗器を通ってトランジスタ電流が流れ、その抵抗器に沿って電圧がノード２２での値Ｕｂからノード２３での値Ｕａまで低下する。抵抗器は、図４に示されるようにトランジスタ・アレイ１２のコレクタ端子のうちの１つに配置される抵抗器であるように選択することもできるし、あるいはコレクタに相互接続される寄生抵抗（図示せず）でもよい。検出抵抗器は回路の感度を高める。
【００３７】
第１の手段は、このトランジスタ１３のコレクタ電圧の絶対値｜Ｕａ｜のピーク値を検出するために提供される。第１の手段は、ノード２３と｜Ｕａ｜を出力する出力端子２６とに接続されたピーク・ダイオード検出器８を備える。
【００３８】
トランジスタ１３の出力電流のピーク値を検出する第２の手段も提供される。この手段はそれぞれノード２２および２３に接続された演算増幅器１８と、位相ダイオード抵抗器８’とを備える。したがって、出力端子２６’は、｜Ｉ｜に比例する検出抵抗器１５での電位降下｜Ｕａ−Ｕｂ｜を出力する。
【００３９】
コレクタ電流とコレクタ電圧の間の位相を検出する第３の手段が提供される。この手段は９０°位相シフタになるように選択することができる位相シフタ６と、直列に接続された混合器４”とを備え、混合器４”の出力はｓｉｎ（φ）を出力するために出力端子２６”に接続される。
【００４０】
最初の３つの実施形態と同様に、図４の実施形態は、不要なＲＦ成分を処理する低域通過フィルタ１９、１９’、１９”を備えた第１の手段と第２の手段を有することができる。
【００４１】
図５に示された第５の実施形態では、電力増幅器２はトランジスタからなるアレイ１２を備え、これらのトランジスタのうちの１つ、すなわちトランジスタ１３は電力増幅器２の出力端子に接続される。この回路は、トランジスタ１３のコレクタ電圧Ｕａとエミッタ電流を測定するように設計される。この手法は、エミッタ電流がコレクタ電流とほぼ同一になるという近似に基づくものである。近似は、広い出力電力範囲にわたって正確であるが、パワー・トランジスタが深い飽和に入った後はもはや正確ではなくなる。この手法は、検出抵抗器として熱的に安定なエミッタ安定抵抗器１５を使用する。このように、余分の検出抵抗器が不要になる。さらに、余分の検出抵抗器によるコレクタ電圧の飽和も回避される。
【００４２】
エミッタ電流を検出するために、電流は安定抵抗器１５を通って流れる。これにより、ピーク・ダイオード検出器８’と演算増幅器１８を用いて、対応する電位降下｜Ｕａ−Ｕｂ｜を測定できるようになる。コレクタ電圧｜Ｕｃ｜を検出する第１の手段はピーク・ダイオード検出器８”を備える。
【００４３】
位相情報は、混合器４”と位相シフタ６によって、前の実施形態と同様に検出することができる。この実施形態の位相シフタ６は、−９０°位相シフタとなるように選択される。この場合もやはり、低域通過フィルタ１９、１９’、１９”を追加することができる。
【００４４】
図６の実施形態は図５の回路とほぼ同一の回路であるが、回路がコレクタ電流を検出するために、検出抵抗器１５の代わりにピックアップ・コイル１６を備えている点が異なる。
【００４５】
図７と８は、インピーダンス整合回路の一部として、上述のインピーダンス検出器をどのように使用することができるかを示す。図７において、電力増幅器２は、給電ライン１によってアンテナ３に給電する。実際には、電力増幅器のための最適負荷ラインへのチューニングが実施される。図７の構成では、本発明によるインピーダンス検出器２７は、ノード２２におけるインピーダンスを検出するように、したがって整合インピーダンスを検出するように構成される。言い換えれば、インピーダンス検出器２７は、左から右へのエネルギー・フロー方向における（すなわち、電力増幅器２からアンテナ３へのｚ矢印方向における）、ノード２２から前方へのインピーダンスを測定する。この点で、図７はフィードバック・システムを示す。制御ユニット２８は整合インピーダンスを、公称負荷ライン・インピーダンスを表す基準値と比較して、それに従って適応出力回路網の出力を調整するロジックを提供する。必要な場合には、１つまたは２つのオプションの固定出力回路網２４、２４’を追加することもできる。
【００４６】
図８において、本発明によるインピーダンス検出器２７は、ノード２３で適応出力回路網２５とアンテナ３の間に配置される。この場合、検出器２７はアンテナ・インピーダンスを検出するが、整合インピーダンスは検出しない。その理由は、検出器が、左から右へのエネルギー・フロー方向における（すなわち、電力増幅器２からアンテナ３へのｚ矢印の方向における）、ノード２３から前方へのインピーダンスを測定するからである。この点で、図７はフィード・フォワード・システムを示す。
【図面の簡単な説明】
【００４７】
【図１】一般的なブロック図の形で一般的な解決策を示す図である。
【図２】負荷のインピーダンスの大きさと位相を検出する回路の第１の実施形態を示す図である。
【図３】上記回路の第２の実施形態を示す図である。
【図４】上記回路の第３の実施形態を示す図である。
【図５】上記回路の第４の実施形態を示す図である。
【図６】上記回路の第５の実施形態を示す図である。
【図７】インピーダンス整合回路の第１の実施形態を示すブロック図である。
【図８】インピーダンス整合回路の第２の実施形態を示すブロック図である。
【符号の説明】
【００４８】
０１  給電ライン
０２  ＲＦ増幅器
０３  アンテナ
０４  混合器
０４’  混合器
０４”  混合器
０５  振幅制限器
０５’  振幅制限器
０５”  振幅制限器
０６  位相シフタ
０７  分割手段
０８  ピーク・ダイオード検出器
０９  検出コイル
１０  検出コンデンサ
１１  緩衝増幅器
１１’  緩衝増幅器
１２  トランジスタのアレイ
１３  トランジスタ
１４  コレクタ
１５  検出抵抗器
１６  ピックアップ・コイル
１７  検出器
１８  演算増幅器
１９  コンデンサ
２０  バッテリ電源
２１  ノード
２２  ノード
２３  ノード
２４  固定出力回路網
２５  適応出力回路網
２６  出力端子
２６’  出力端子
２６”  出力端子
２７  インピーダンス検出器
２８  制御ユニット
２９  ピーク検出手段
３０  位相検出手段
【図１】
2008516508.tif 000004
【図２】
2008516508.tif 000005
【図３】
2008516508.tif 000006
【図４】
2008516508.tif 000007
【図５】
2008516508.tif 000008
【図６】
2008516508.tif 000009
【図７】
2008516508.tif 000010
【図８】
2008516508.tif 000011
【国際調査報告】
2008516508.tif 000012
2008516508.tif 000013
2008516508.tif 000014